(57)【要約】 【課題】  本発明は、優先順位の低いトラフィックに対してタイムアウトや再送制御をできる限り行わせないために、優先順位の低いトラフィックも優先順位の高いトラフィックに影響を及ぼさない程度に送出する通信システムを提供する。【解決手段】    優先度の異なる少なくとも２種類のデータを優先順位ごとに振り分けてそれぞれバッファに格納し、引き出し用セレクタを介して前記バッファのうち優先順位の高いデータが格納されたバッファから優先してネットワークに伝送する通信システムにおいて、優先度に応じて前記バッファごとに送出するデータの比率を設定し、各バッファはデータの送出数を監視し、任意のバッファからネットワークに送出されるデータ数が設定された値に達すると、次の優先データが格納されているバッファからのデータを、前記比率に応じて割り込ませ、ネットワークに送出する。【選択図】                    図１
2006074412.tif 000002
【特許請求の範囲】
【請求項１】
優先度の異なる少なくとも２種類のデータを優先順位ごとに振り分けてそれぞれバッファに格納し、引き出し用セレクタを介して前記バッファのうち優先順位の高いデータが格納されたバッファから優先してネットワークに伝送する通信システムにおいて、
前記バッファはそれぞれ優先度に応じて送出するデータの比率を設定するとともに、前記各バッファのデータを監視し、任意のバッファからネットワークに送出されるデータ数が設定された値に達すると、次の優先データが格納されているバッファからのデータを前記比率に応じて割り込ませ、ネットワークに送出することを特徴とする通信制御方法。
【請求項２】
優先度の異なる少なくとも２種類のデータを優先順位ごとに振り分けてそれぞれバッファに格納し、引き出し用セレクタを介して前記バッファのうち優先順位の高いデータが格納されたバッファから優先してネットワークに伝送する通信システムにおいて、
前記各バッファのデータ送出比率を設定するとともに、前記各バッファのデータ送出数をそれぞれ入力とし、送出データ数が設定された値に達すると割り込み要求信号を前記引き出し用セレクタに出力するバッファ管理部を備えることを特徴とする通信制御装置。
【請求項３】
前記バッファ管理部は、優先順位が最上位のデータを格納するバッファ以外のバッファに、それぞれ送出するデータの比率が設定されるとともに、前記バッファごとのデータ送出数を入力し、優先順位が上位のバッファの送出データ数が設定された値に達すると割り込み要求信号を出力する割り込み要求加減算器を備え、割り込み要求加減算器の出力を送出要求判定回路でデータの割り込みを判定して前記引き出し用セレクタに出力し、次に優先順位の高いデータが格納されているバッファからデータをネットワークに送出することを特徴とする請求項１および２記載の通信制御方法及び通信制御装置。
【請求項４】
前記割り込み要求加減算器は、優先順位が最上位のデータを格納するバッファを除くバッファと関連づけてそれぞれ備えられ、関連づけられていないバッファがデータを送出した場合は加算を行い、関連づけられたバッファがデータを送出する場合は減算する加算値と減算値を設定するとともに、前記バッファのデータ送出数を入力とし、
関連づけられたバッファがデータを出力した場合とその他のバッファがデータを出力した場合に、加算または減算要求信号を入力して加減算を行い、加減算値が設定値に達した時に、関連づけられたバッファから、データを割り込ませる信号を出力することを特徴とする請求項１乃至３記載の通信制御方法及び通信制御装置。
【請求項５】
加算値と減算値は加算値×関連づけられたバッファ以外の送出比率＝減算値×関連づけられたバッファの送出比率となる整数値とすることを特徴とする請求項１乃至４記載の通信制御方法及び通信制御装置。
【請求項６】
バッファから送出されるデータは固定長であることを特徴とする請求項１乃至５記載の通信制御方法及び通信制御装置。
【発明の詳細な説明】
【技術分野】
【０００１】
この発明は、リアルタイム性が要求される優先フレームと多少の遅延が容認される非優先フレームを送信する通信制御方法および通信制御装置に関するものである。
【背景技術】
【０００２】
ネットワーク同士を相互に接続する通信システムが開発されている中で、例えば、ＶｏＩＰ（Ｖｏｉｃｅ  ｏｖｅｒ  Ｉｎｔｅｒｎｅｔ  Ｐｒｏｔｏｃｏｌ）等リアルタイム性が要求されるデータと、多少の遅延が容認されるＷＥＢ等のデータが共存していても、リアルタイム性を損なわない通信を実現する通信システムが要求されている。
【０００３】
次に、従来技術による通信システムの構成を説明する。図６は従来における通信システムの構成例を示したものであり、優先データと被優先データが送出される場合についてのものである。図６で、通信システムは回線接続装置１と優先バッファ１Ａと非優先バッファ１Ｂと回線接続装置３を備える。
【０００４】
回線接続装置１はイーサネット(登録商標)等のネットワーク１０と接続されている。ネットワーク１０から回線接続装置１に入力されるデータは、ＶｏＩＰ等リアルタイム性が要求され、優先的にネットワーク２０に対して送出したい優先データと、ＷＥＢ等のデータ、すなわち多少の遅延が容認される非優先データがある。
【０００５】
ネットワーク１０からのデータは、フレーム内のビットごとに優先度フィールドを持ち、優先度に応じた設定値があらかじめ定められている。回線接続装置１はこの設定値を識別することにより、入力されるフレームに対して優先度を与えられる。データのフレームは、優先度に応じて優先バッファ１Ａ及び非優先バッファ１Ｂに蓄えられる。
【０００６】
回線接続装置２はＷＡＮ（Ｗｉｄｅ  Ａｒｅａ  Ｎｅｔｗｏｒｋ）等第２のネットワーク２０と接続されている。また、回線接続装置２は優先バッファ１Ａ及び非優先バッファ１Ｂをそれぞれ監視し、優先バッファ１Ａにフレームがあるときは優先バッファ１Ａからフレームを送出し、優先バッファ１Ａにフレームがないときは非優先バッファ１Ｂからフレームを送出する。
【０００７】
次に、図６の構成による通信システムの動作を図７を参照して説明する。図７では、ネットワーク１０から優先バッファ１Ａ、非優先バッファ１Ｂにフレームが蓄積され、回線接続装置２を介してネットワーク２０に送出される場合の例を示している。なお、図７の矢印の方向にフレームが送出されていく例を示している。
【０００８】
図７で、ネットワーク１０から回線接続装置１に対して、まず非優先バッファ１Ｂに非優先フレームが蓄積されている。このとき、回線接続装置２は、非優先フレームに先頭識別コードＣ１を付して送出を開始する。
【０００９】
その途中で優先バッファ１Ａに優先フレームが蓄積される。このとき、非優先フレームはまだ送出中であるため、非優先フレームの送出終了後、引き続いて優先フレームの送出を開始し、優先フレームの送出終了によりネットワーク２０に対しデータの送出を完了する。
【００１０】
図６及び図７のような通信システムで用いられるインタフェースコンバータの伝送速度は、端末側に比べてＷＡＮ側がきわめて遅い場合が多い。したがって、ＬＡＮ側より入力されたフレームは、本装置のバッファ内に滞留することが多くなり、図７に示すように、ネットワーク２０に対して優先フレームあるいは非優先フレームの一方のみが連続して送出され、他の一方のフレームの送出がされない状態になることがある。
【００１１】
また、図８に示すように、通常の優先制御では優先順位の高いレベルのトラフィックを優先的に送出するが、優先制御を行うと優先順位の高いトラフィックが長期間続いた場合、長期間にわたり優先順位の低いレベルのトラフィックが流れなくなり、イーサネット（登録商標）の場合、ＴＣＰ／ＩＰ以上のレイヤで再送制御が掛かってしまい、トラフィックが増大してしまう場合がある。
【００１２】
これを解決するために、特許文献１に記載されているように、優先フレームと非優先フレームの送出に際し、一定間隔で優先フレームと非優先フレームの送出を切り替える手段が知られている。
【００１３】
【特許文献１】特許第３４５７６３６号公報
【発明の開示】
【発明が解決しようとする課題】
【００１４】
図６の構成では、図７に示すように、一度バッファからフレームの送出が開始されると、１フレーム分の送出が完了するまで中断することがない。したがって、例えば、ネットワーク１０からの非優先フレームが長い場合、その送出中に優先フレームが蓄えられても、非優先フレームの送出が完了するまで優先フレームの送出が待たされることになる。
【００１５】
特に、ネットワーク２０の帯域が狭い場合には、優先フレーム送出待ち時間が長くなる。例えば、送出したい優先フレームがＶｏＩＰ等のアプリケーションであった場合には、遅延、揺らぎ等の問題が発生する。一方、優先順位の高いトラフィックが長期間続いた場合、優先順位の低いレベルのトラフィックが送出されないという問題が発生する。
【００１６】
本発明は、優先順位の低いトラフィックに対してタイムアウトや再送制御をできる限り行わせないために、優先順位の低いトラフィックも優先順位の高いトラフィックに影響を及ぼさない程度に送出することを目的とする。具体的には、優先度として、高優先・中優先・低優先の３つの優先度がある場合、優先度が低いと定義できる中優先と低優先に割り込みを発生させて、それぞれの帯域を確保することを目的とする。
【課題を解決するための手段】
【００１７】
このような課題を達成するために、請求項1に記載の発明は、優先度の異なる少なくとも２種類のデータを優先順位ごとに振り分けてそれぞれバッファに格納し、引き出し用セレクタを介して前記バッファのうち優先順位の高いデータが格納されたバッファから優先してネットワークに伝送する通信システムにおいて、前記バッファはそれぞれ優先度に応じて送出するデータの比率を設定するとともに、前記各バッファのデータを監視し、任意のバッファからネットワークに送出されるデータ数が設定された値に達すると、次の優先データが格納されているバッファからのデータを前記比率に応じて割り込ませ、ネットワークに送出する。
【００１８】
請求項２に記載の発明は、優先度の異なる少なくとも２種類のデータを優先順位ごとに振り分けてそれぞれバッファに格納し、引き出し用セレクタを介して前記バッファのうち優先順位の高いデータが格納されたバッファから優先してネットワークに伝送する通信システムにおいて、前記各バッファのデータ送出比率を設定するとともに、前記各バッファのデータ送出数をそれぞれ入力とし、送出データ数が設定された値に達すると割り込み要求信号を前記引き出し用セレクタに出力するバッファ管理部を備える。
【００１９】
請求項３に記載の発明は、請求項１および２に記載の通信制御方法及び通信制御装置において、前記バッファ管理部は、優先順位が最上位のデータを格納するバッファ以外のバッファに、それぞれ送出するデータの比率が設定されるとともに、前記バッファごとのデータ送出数を入力し、優先順位が上位のバッファの送出データ数が設定された値に達すると割り込み要求信号を出力する割り込み要求加減算器を備え、割り込み要求加減算器の出力を送出要求判定回路でデータの割り込みを判定して前記引き出し用セレクタに出力し、次に優先順位の高いデータが格納されているバッファからデータをネットワークに送出する。
【００２０】
請求項４に記載の発明は、請求項１乃至３に記載の通信制御方法及び通信制御装置において、前記割り込み要求加減算器は、優先順位が最上位のデータを格納するバッファを除くバッファと関連づけてそれぞれ備えられ、関連づけられていないバッファがデータを送出した場合は加算を行い、関連づけられたバッファがデータを送出する場合は減算する加算値と減算値を設定するとともに、前記バッファのデータ送出数を入力とし、関連づけられたバッファがデータを出力した場合とその他のバッファがデータを出力した場合に、加算または減算要求信号を入力して加減算を行い、加減算値が設定値に達した時に、関連づけられたバッファから、データを割り込ませる信号を出力する。
【００２１】
請求項５に記載の発明は、請求項１乃至４に記載の通信制御方法及び通信制御装置において、加算値と減算値は加算値×関連づけられたバッファ以外の送出比率＝減算値×関連づけられたバッファの送出比率となる整数値とする。
【００２２】
請求項６に記載の発明は、請求項１乃至５に記載の通信制御方法及び通信制御装置において、バッファから送出されるデータは固定長である。
【発明の効果】
【００２３】
この発明によれば、各優先データの送信比率を設定するとともに、各優先度のバッファのデータを監視し、関連づけられたバッファ以外のバッファがデータを送出した場合と関連づけられたバッファがデータを送出した場合で加減算を行い、加減算値が設定された値になったときに、優先順位の低いトラフィックを、あらかじめ設定された各優先度の送信比率に応じて割り込ませる処理を行うので、優先順位の低いトラフィックも優先順位の高いトラフィックに影響を及ぼさない程度に流しつづけることができ、優先順位の低いトラフィックに対してタイムアウトや再送制御をほとんど発生させないようにすることができる。
【００２４】
また、トラフィックの性質に応じて任意にそのバッファごとの比率を設定することができるので、効率的なデータの送出を実現することができる。また、その比率は下位の優先順位から決定されるので、例えば、最上位の優先順位のバッファにデータがない場合、次の優先順位の送出比率が最上位の優先順位のバッファの送出比率と合わさった比率となり、空の状態のバッファがあっても、ネットワークへはその他のバッファのデータが送出されることになるので、送信データに無駄がなくなる。
【発明を実施するための最良の形態】
【００２５】
以下、本発明による通信制御装置を説明する。図１は本発明の一実施例を示す構成図であり、例としてＬＡＮ（Ｌｏｃａｌ  Ａｒｅａ  Ｎｅｔｗｏｒｋ）側のデータを通信制御装置でインタフェースコンバートしてＷＡＮ側に送出する構成を示したものである。すなわち、ＬＡＮ側からのデータは、ＡＴＭセル（５３バイトの固定長パケット）に変換されてデータを送出する。
【００２６】
図１で、通信制御装置は、高優先、中優先、低優先の３種類のデータをネットワークに送出する例を示しており、ＬＡＮ側からのトラフィックが入力される割り振り用セレクタ１と、割り振り用セレクタ１で優先順位ごとに分類されたデータをそれぞれ格納する高優先用バッファ２Ａ、中優先用バッファ２Ｂ、低優先用バッファ２Ｃと、各バッファに格納されたデータの保持状態を入力とするバッファ管理部３と、各バッファからの出力を第１の入力とし、バッファ管理部３から選択信号３Ａによりネットワークに送出するデータを選択する引き出し用セレクタ１０を備える。
【００２７】
図１で、ＬＡＮ側から入力されたデータは、割り振り用セレクタ１により、優先度別に各バッファ２Ａ〜２Ｃに蓄積される。各バッファ２Ａ〜２Ｃへのデータの蓄積、送出情報はバッファ管理部３に入力される。バッファ管理部３は各バッファ２Ａ〜２Ｃのデータを監視し、特定の条件を満たす状態となったとき選択信号３Ａを出力し、引き出し用セレクタ１０の出力を切り替え、ＷＡＮ側へ送出する
【００２８】
図２は、バッファ管理部３の具体的な構成図であり、中優先用割り込み要求加減算器３１と低優先用割り込み要求加減算器３２と送出判定回路３３を備える。中優先用割り込み要求加減算器３１は図１の中優先用バッファ２Ｂに関連づけられたものであり、低優先用割り込み要求加減算器３２は図１の低優先用バッファ２Ｂに関連づけられたものである。
中優先用割り込み要求加減算器３１と低優先用割り込み要求加減算器３２は高優先用バッファ２Ａ、中優先用バッファ２Ｂ、低優先用バッファ２Ｃのデータの送出信号がそれぞれ入力される。
【００２９】
送出要求判定回路３３は、同様に高優先用バッファ２Ａ、中優先用バッファ２Ｂ、低優先用バッファ２Ｃのデータ送出信号２１〜２３がそれぞれ入力されるとともに、中優先用割り込み要求加減算器３１と低優先用割り込み要求加減算器３２の割り込み要求信号３１Ａ、３２Ａを入力とし、図１の引き出し用セレクタ１０に選択信号３Ａを出力する。選択信号３Ａは中優先用割り込み要求加減算器３１と低優先用割り込み要求加減算器３２にフィードバックし、加減算処理を行う。割り込み要求信号３１Ａ、３２Ａについては後述する。
【００３０】
次に、中優先用割り込み要求加減算器３１と低優先用割り込み要求加減算器３２の構成を図３を参照して説明する。中優先用割り込み要求加減算器３１と低優先用割り込み要求加減算器３２は同じ構成であり、あらかじめ設定される加算値及び減算値が異なる。加算値及び減算値の設定については後述する。図３で、高優先用バッファ２Ａ、中優先用バッファ２Ｂ、低優先用バッファ２Ｃのデータ送出蓄積状態信号２１〜２３がそれぞれ入力される。
【００３１】
次に、バッファ管理部３の動作を図２、図３および図４を参照して説明する。図４はバッファ管理部３の中優先用割り込み要求加減算器３１と低優先用割り込み要求加減算器３２の動作を説明した図である。ここで、データの送出数は、高優先データは１フレームで２セル、中優先データは１フレームで２セル、低優先データは１フレームで４セルとし、ネットワークに対するトラフィック送出の比率を中優先データ＝２０％、低優先データ＝２０％としている。
【００３２】
図２で、バッファ管理部３の送出要求判定回路３３は、中優先及び低優先のデータを高優先側のトラフィックに割り込ませるように送出する。この割り込み要求を発生させるために加減算回路を使用する。加減算回路は、割り込みを発生させたい、中優先と低優先の加減算器を用いる。
【００３３】
図３で、加算値と減算値は、要求する優先度の送出させたい比率に応じて設定される。割り込み要求加減算器４１，４２は、各優先度の現在のデータの蓄積と、データを送出したバッファの「優先度」に応じて加減算を行う。送出された優先度の判定結果により加算・減算要求を発生させて加減算結果を算出する。加減算の条件としては、要求する比率に応じて送出させた比率が合計１００％となったときに加算と減算が相殺されるように加算値と減算値を設定する。
【００３４】
具体的には、割り込み要求する優先度以外のトラフィックが送出されたときには加算を行い、要求する優先度のトラフィックが送出されたときには減算を行うようにして、加算と減算が相殺されるような条件とする。加減算器は、ハードウェアで構成するため、各パラメータとも整数にする必要があることから、
加算値×要求する優先度以外の送出比率＝減算値×要求する優先度の送出比率
となる整数値を加算値・減算値に使用する。
【００３５】
帯域保障の加減算値の動作例の場合、要求される中優先の帯域保障は２０％、低優先の帯域保障は２０％なので、下記のように加算値・減算値が決定される。
まず、中優先の加減算器に対しては、
(加算値×高優先と低優先の送出比率)＝(減算値×中優先度の送出比率)となり、
加算値×８０％＝減算値×２０％  が成り立つ整数値、すなわち、
高優先と低優先を送出した時の加算値＝１、中優先を送出した時の減算値＝４となる。
【００３６】
また、低優先の加減算器に対しては、
(加算値×高優先と中優先の送出比率)＝(減算値×低優先度の送出比率)となり、
加算値×８０％＝減算値×２０％  が成り立つ整数値、すなわち、高優先と中優先を送出した時の加算値＝１、低優先を送出した時の減算値＝４となる。
【００３７】
ここで、加算値と減算値は、帯域保障を要求する比率を整数化したパラメータに過ぎないので、上記のような条件の場合、加算値：減算値＝１：４を構成するものであれば、加算値：減算値が２：８でも３：１２でも２０：８０でも良いことになる。動作例で説明しやすいようにここでは、加算値：減算値＝１：４を使用する。
【００３８】
したがって、中優先割り込み要求加減算器３１は、加減算条件として、図１の高優先バッファ２Ａからセルが一つ送出されると１カウントアップし、中優先バッファ２Ｂからのセルが一つ送出されると４カウントダウンし、低優先バッファ２Ｃからのセルが一つ送出されると１カウントアップするように、加算値及び減算値を設定する。
【００３９】
同様に、低優先割り込み要求加減算器３２は、加減算条件として、図１の高優先バッファ２Ａからセルが一つ送出されると１カウントアップし、中優先バッファ２Ｂからのセルが一つ送出されると１カウントアップし、低優先バッファ２Ｃからのセルが一つ送出されると４カウントダウンするように、加算値及び減算値を設定する。また、中優先割り込み要求加減算器３１および低優先割り込み要求加減算器３２には閾値が設定されている。
【００４０】
次に、セルの送出数が図４に示すような割合である場合における、中優先割り込み要求加減算器３１および低優先割り込み要求加減算器３２の動作を説明する。図４で、中優先割り込み要求加減算器３１は高優先セル「１」，「２」が送出されたときに閾値を越えたので、割り込み要求信号３１Ａが出力され、送出要求判定回路３３から図１のセレクタ１０に選択信号３Ａを通知し、中優先バッファ２Ｂから中優先セル「３」，「４」を送出する。
【００４１】
それと同時に、選択信号３Ａは中優先割り込み要求回路３１の加減算セレクタ４３に入力され、割り込み要求加減算回路４１に対して減算要求を行い、４カウントずつカウントダウンを行う。
【００４２】
このとき、低優先用割り込み要求加減算器３２は、高優先セル「１」，「２」及び中優先セル「３」，「４」が送出されるごとに１ずつカウントアップしており、中優先セル「３」，「４」が送出されたときに閾値を超えたので、割り込み要求信号３２Ａが出力され、送出要求判定回路３３から図１のセレクタ１０に選択信号３Ａを通知し、低優先バッファ２Ｃから低優先セル「５」，「６」，「７」，「８」を送出する。
【００４３】
それと同時に、選択信号３Ａは低優先割り込み要求回路３２の加減算セレクタ４３に入力され、割り込み要求加減算回路４２に対して減算要求を行い、４カウントずつカウントダウンを行う。このとき、中優先用割り込み要求加減算器３１は、低優先セルが出力されているので、１づつカウントアップしている。
【００４４】
以下同様に、中優先割り込み要求加減算器３１および低優先用割り込み要求加減算器３２の閾値を越えたときに、それぞれ割り込み要求信号を出力して、関連づけられたバッファからセルを送出し、セルを送出するたびにカウントダウンしていく。
【００４５】
このように動作させることにより、中優先と低優先のセルは割り込み要求の比率にしたがって送出される。
【００４６】
ここで、ＬＡＮ側のフレームは可変長であるため、ＡＴＭセルとして実現するセル数はフレームにより様々なセル数となる。各優先度の割り込み要求の比率とは、ＬＡＮ側のフレーム数の比率ではなくＡＴＭセルの送出比率を表すものである。
【００４７】
図４では中優先度、低優先度のＡＴＭセル共に５回に１回の割合で割り込み送出される場合について説明したが、一度割り込みの優先度のフレームが送出されるとＡＴＭセルが１つで実現できるとは限らないため、それに応じたＡＴＭセルが送出される。
【００４８】
したがって、実際に送出されたＡＴＭセルに見合うような比率が平均化される必要がある。例えば中優先が２セル送出されれば、その後中優先以外のセルを８セル送出できるようにする必要がある。また、低優先が４セル送出されれば、その後低優先以外のセルを１６セル送出できるようにする必要がある。このため、加減算値のカウント幅を実際の仕様で考えられる最大値幅までダイナミックに動けるように決める必要がある。
【００４９】
実施例の構成の場合、１フレームの最大長はＡＴＭセル３４個に相当し、比率の分解能は１％単位の仕様のため最大で加減算されるカウント値は、３４(セル)×１００(％)＝３４００となり、加減算器は、０以上の整数値で動くため、加減算器のカウント幅は１３ｂｉｔ幅＝８１９２となり、閾値を４０９６とする。これにより、加減算器がプラス側にもマイナス側にも飽和することはない。
【００５０】
以上のようにトラフィックの割り込み要求を発生させ、閾値を超えたときに、割り込み要求を発生させる。割り込み要求されることにより、該当する優先度のセルが送出されるため減算されて、閾値以下になり、割り込み要求は解除される。このようにして判定することにより、設定された送出比率を遵守する。
【００５１】
この優先判定回路に割り込み要求加減算器から割り込み要求信号が発生させ、要求信号が発生しているときには、他の優先度の高いトラフィックよりも要求信号が発生している優先度のトラフィックが優先順位を上げて送出されるように優先判定を行う。このことにより、設定された比率で優先順位が低いトラフィックが送出される。
【００５２】
本説明では、優先順位は高優先、中優先、低優先と３種類の優先順位を持つデータについて説明し、バッファ管理部で中優先用および低優先用の割り込み要求加減算器を備えた構成について説明したが、さらに細分化した優先順位を設定しても、同様にデータを処理することができる。
【００５３】
また、本説明では、割り込み要求加減算器は、関連づけられたバッファがデータを出力する場合に減算し、関連づけられていないバッファがデータを出力する場合に加算する構成を説明したが、加算と減算は反対に設定されても良い。
【図面の簡単な説明】
【００５４】
【図１】本発明の一実施例の構成図である。
【図２】図１のバッファ管理部の説明図である。
【図３】図２の割り込み要求加減算器の説明図である。
【図４】本発明の実施例の動作説明図である。
【図５】本発明によるトラフィックの送出例である。
【図６】従来技術による通信装置の構成例を示した図である。
【図７】従来技術による動作説明図である。
【図８】従来技術によるトラフィックの送出例である。
【符号の説明】
【００５５】
１、１０    セレクタ
２Ａ  高優先用バッファ
２Ｂ  中優先用バッファ
２Ｃ  低優先用バッファ
３    バッファ管理部
３１  中優先用割り込み要求加減算器
３２  低優先用割り込み要求加減算器
３３  送出要求判定回路
４１、４２  割り込み要求加減算器
４３  加減算器セレクタ
【図１】
2006074412.tif 000003
【図２】
2006074412.tif 000004
【図３】
2006074412.tif 000005
【図４】
2006074412.tif 000006
【図５】
2006074412.tif 000007
【図６】
2006074412.tif 000008
【図７】
2006074412.tif 000009
【図８】
2006074412.tif 000010